(57)【要約】      （修正有）【課題】絵馬などのお守り等の物品の彩り部分に、絵画芸術の地域の特色と其の変遷を、統一的に、そして合理的に観測を可能とする機能性を持たせること。【解決手段】絵馬などのお守りの彩り部分の構造を、一定地域ごと、またジャンルごとに定義し、その定義の彩りを一定期間ごとに選定したものにするよう設定することにより、その地域に根ざした彩りを用い、絵画芸術の地域特色と其の変遷を、統一的な、そして合理的な同時観察を可能とする。【選択図】図１
2007075597.tif 000002
【特許請求の範囲】
【請求項１】
絵馬などのお守りの彩り部分の構造を、一定地域ごと、またジャンルごとに定義し、その定義内の彩りを一定期間ごとに選定したものにするよう設定されたことにより、絵画芸術の地域特色と其の変遷の同時観測が可能となったことを特徴とするお守り。
【発明の詳細な説明】
【技術分野】
【０００１】
本発明は、絵画芸術の地域特色と変遷の観測を容易とする、お守りの物品に関するものである。また、それは地域の絵画芸術の保護をも併せ持つ発明である。
【背景技術】
【０００２】
絵画は、彩りとしての利点がある。その利点があるので、既にお守りの物品の彩りとして実用にともされている。図１は、お守りの絵馬を参考にして、お守りの彩り部を表した参考図である。
【０００３】
しかし、それはあくまでもお守りの物品の彩りとしての機能のみである。絵画芸術は地域ごとに違う特色と嗜好の移り変わり、またジャンルがある利点を十分に活かすものではない。勿論、言うまでもなく、絵画芸術の地域特色と其の変遷を、統一的に、そして合理的に観測を可能とする機能性を持つものではない。
【０００４】
この改善策として、彩りを一定地域ごと、またジャンルごとに区切り、その地域に根ざした彩りを用い、その彩りは一定期間ごとに代えるという方法がある。その方法を、地理学系の実用形態を示すための参考説明図で表したのが図２である。
【特許文献１】特開２００２−１５４５８３
【特許文献２】特開２００３−０９４９００
【特許文献３】特開２００１−０７８３０４
【特許文献４】特開２００１−１１９６９０
【特許文献５】特開２００６−１９２３１６
【非特許文献１】「桃山の巨匠  永徳  等伯  友松展」  編集発行  徳川美術館
【非特許文献２】「萬鉄五郎／熊谷守一」  編集者  後藤茂樹  出版社  （株）集英社  １９７４年発行
【非特許文献３】「富岡鉄斎  日本近代絵画全集１４」  出版社  講談社  １９６３年発行
【非特許文献４】「小川芋銭／富田渓仙  日本近代絵画全集１９」  出版社  講談社  １９６３年発行
【非特許文献５】「近代絵画の３巨匠  セザンヌ  ルノアール  ルオー  名作展」  発行社  毎日新聞社      １９６４年発行
【非特許文献６】「ヴァン−ゴッホ展」  発行社  東京新聞  中日新聞  中部日本放送  監修  国立西洋美術館  １９７７年発行
【非特許文献７】「ゴッホの花」  ジュディス・バンブス著  島田紀夫  中村みどり訳  出版社  西村書店  １９９１年発行
【非特許文献８】「エルミタージュ美術館秘蔵  レンブラント展」  編集  石橋財団ブリジストン美術館学芸部    発行社  東京新聞  中日新聞
【非特許文献９】「前田青邨遺作展」  発行社  朝日新聞東京本社企画部  １９７９年発行
【非特許文献１０】「山種美術館所蔵  近代日本画名作展」  編集  山種美術館  発行社  中日新聞社      １９７９年発行
【非特許文献１１】「御舟」  発行社  山種美術館  １９７７年発行
【非特許文献１２】「東山魁夷  樹々ハ語る展」  発行者  日本経済新聞    １９８３年発行
【非特許文献１３】「妙心寺秘宝展」  編集  財団法人禅文化研究所  １９８３年発行
【非特許文献１４】「高山辰雄  作品とその素描」  発行者  山種美術館  １９８４年発行
【非特許文献１５】「近代日本画の巨匠  大観  春草  古径  展」  発行社  東海テレビ事業  １９８３年発行
【非特許文献１６】「週刊アーティスト・ジャパン」  発行所  同朋舎出版    １９９２年発行
【非特許文献１７】「大法輪」  発行所  有限会社大法輪閣
【発明の開示】
【発明が解決しようとする課題】
【０００５】
解決しようとする問題点は、お守りの物品の彩り部分が、絵画芸術の地域特色と其の変遷を、統一的に、そして合理的に観測を可能とする機能性を持っていない点である。
【課題を解決するための手段】
【０００６】
絵馬などのお守りの彩り部分の構造を、一定地域ごと、またジャンルごとに定義し、その定義内の彩りを一定期間ごとに選定したものにするよう設定することにより、絵画芸術の地域特色と其の変遷の同時観測が可能となる。
【発明の効果】
【０００７】
本発明の絵画芸術の地域特色と其の変遷を同時に観測する技術は、既に既存であるお守りの物品の彩り部分を用いるが、彩りを一定地域ごと、またジャンルごとに区切り、その地域に根ざした彩りを用い、その彩りは一定期間ごとに代え、その地域のみの特産物とするというところに特徴がある。それは彩り部分、即ち、絵画芸術の地域特色と其の変遷を、統一的に、そして合理的に観測を可能とする利点がある。
【発明を実施するための最良の形態】
【０００８】
絵画芸術の地域特色と其の変遷を観測するという目的を、既に既存でもあるお守りの物品の彩り部分を用いるという創意工夫で実現する。
【実施例１】
【０００９】
図１は、お守りの絵馬を参考にして、お守りの彩り部を表した参考図である。絵画の描かれた部分が彩り部である。
【００１０】
図２は、地域絵画の地域特色、またジャンルを表した地理学系の参考説明図である。それは地域を区切り、その地域の主だった絵画を表したものである。
【００１１】
図３−１、図３−２、図３−３，図３−４は、図１の絵馬に、絵画芸術の地域特色と其の変遷を観測する技術によって用いられたと仮定した場合の参考の彩り図である。更に、図２の鉛筆画の地域で用いられたとするものである。また、それは図３−１、図３−２、図３−３，図３−４の順に、一定期間ごとに代えられたと仮定したものである。
【００１２】
よって、図３−１、図３−２、図３−３，図３−４から、絵画芸術の地域特色と其の変遷が分かるものである。
【００１３】
即ち、図２の鉛筆画と記された地域に鉛筆画の特徴があると判断でき、図３−１、図３−２、図３−３，図３−４の順の変遷から、写実的な絵の特徴から印象的な絵の特徴に変遷していることが判断できる。
【産業上の利用可能性】
【００１４】
本発明は、お守りに限らず、缶詰、カップラーメン、衣類、書籍のブックカバーなどの彩りのある物品に適用できる。
【図面の簡単な説明】
【００１５】
【図１】お守りの絵馬を参考に、お守りの彩り部を表した参考図である。
【図２】地域絵画の地域特色、またジャンルを表した地理学系の参考説明図である。
【図３−１】図１の絵馬に、絵画芸術の地域特色と其の変遷を観測する技術によって用いられたと仮定した場合の参考の彩りである。更に、図２の鉛筆画の地域で用いられたとするものである。また、それは図３−１、図３−２、図３−３，図３−４の順に、一定期間ごとに代えられたと仮定したものである。
【図３−２】図１の絵馬に、絵画芸術の地域特色と其の変遷を観測する技術によって用いられたと仮定した場合の参考の彩りである。更に、図２の鉛筆画の地域で用いられたとするものである。また、それは図３−１、図３−２、図３−３，図３−４の順に、一定期間ごとに代えられたと仮定したものである。
【図３−３】図１の絵馬に、絵画芸術の地域特色と其の変遷を観測する技術によって用いられたと仮定した場合の参考の彩りである。更に、図２の鉛筆画の地域で用いられたとするものである。また、それは図３−１、図３−２、図３−３，図３−４の順に、一定期間ごとに代えられたと仮定したものである。
【図３−４】図１の絵馬に、絵画芸術の地域特色と其の変遷を観測する技術によって用いられたと仮定した場合の参考の彩りである。更に、図２の鉛筆画の地域で用いられたとするものである。また、それは図３−１、図３−２、図３−３，図３−４の順に、一定期間ごとに代えられたと仮定したものである。
【図１】
2007075597.tif 000003
【図２】
2007075597.tif 000004
【図３−１】
2007075597.tif 000005
【図３−２】
2007075597.tif 000006
【図３−３】
2007075597.tif 000007
【図３−４】
2007075597.tif 000008